Podtech/llm-jp-corpus-v4-ja_patent huggingface dataset:
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのブロックを含むビットストリームのシーケンスパラメータセット（ＳＰＳ）内の、ビデオデータの前記ブロックをコーディングするための色値のパレットの最大パレットサイズを示すデータ、または色値の前記パレットを決定するためのパレット予測子の最大パレット予測子サイズを示すデータのうちの少なくとも１つをコーディングすることと、
前記データに従ってビデオデータの前記ブロックをコーディングすることと、
を備える方法。
【請求項２】
前記最大パレットサイズを示す前記データをコーディングすることは、前記ＳＰＳ内のｐａｌｅｔｔｅ＿ｍａｘ＿ｓｉｚｅシンタックス要素をコーディングすることを備える、請求項１に記載の方法。
【請求項３】
前記パレット予測子の前記最大パレット予測子サイズを示す前記データをコーディングすることは、前記ビットストリームの前記ＳＰＳ内の前記データをコーディングすることを備える、請求項１に記載の方法。
【請求項４】
前記最大パレット予測子サイズを示す前記データをコーディングすることは、前記最大パレット予測子サイズと前記最大パレットサイズとの差分を示すデータをコーディングすることを備える、請求項１に記載の方法。
【請求項５】
前記最大パレット予測子サイズと前記最大パレットサイズとの前記差分を示す前記データをコーディングすることは、固定長符号、ゴロム−ライス符号、または指数ゴロム符号の少なくとも１つを使用して、前記最大パレット予測子サイズと前記最大パレットサイズとの前記差分を示す前記データをコーディングすることを備える、請求項４に記載の方法。
【請求項６】
ビデオデータの前記ブロックはビデオデータの第１のブロックを備え、
前記方法は、
ビデオデータの第２のブロックをコーディングするための色値の第２のパレットの第２の最大パレットサイズを示す第２のデータをコーディングすることをさらに備え、前記第２の最大パレットサイズはビデオデータの前記第２のブロックのサイズに基づく、請求項１に記載の方法。
【請求項７】
前記最大パレットサイズを示す前記データをコーディングすることは、固定長符号、ゴロム−ライス符号、または指数ゴロム符号の少なくとも１つを使用して、前記最大パレットサイズを示す１つまたは複数のシンタックス要素をコーディングすることを備える、請求項１に記載の方法。
【請求項８】
前記最大パレット予測子サイズを示す前記データをコーディングすることは、固定長符号、ゴロム−ライス符号、または指数ゴロム符号の少なくとも１つを使用して、前記最大パレット予測子サイズを示す１つまたは複数のシンタックス要素をコーディングすることを備える、請求項１に記載の方法。
【請求項９】
前記ブロックの少なくとも１つのピクセルがエスケープパレットモードを使用してコーディングされることを示す１つまたは複数のシンタックス要素をコーディングすることと、
前記１つまたは複数のシンタックス要素に基づいて、前記コーディングされたデータによって示される前記最大パレットサイズを１だけ増やすことと、
をさらに備える、請求項１に記載の方法。
【請求項１０】
コーディングすることは、符号化することを備え、ビデオデータの前記ブロックを符号化することは、
前記最大パレット予測子サイズを超えない前記パレット予測子を使用して、前記最大パレットサイズを示す前記データによって示されるエントリーの数を超えることなく、前記パレットを決定することと、
前記ブロックの１つまたは複数のサンプルのためのそれぞれのインデックス値を決定することと、ここにおいて、前記それぞれのインデックス値は前記パレットのエントリーを識別し、
前記ビットストリーム中に前記インデックス値を符号化することと、
を備える、請求項１に記載の方法。
【請求項１１】
コーディングすることは、復号することを備え、ビデオデータの前記ブロックを復号することは、
前記最大パレット予測子サイズを超えない前記パレット予測子を使用して、前記最大パレットサイズを示す前記データによって示されるエントリーの数を超えることなく、前記パレットを決定することと、
前記ビットストリームから、前記ブロックの１つまたは複数のサンプルのためのそれぞれのインデックス値を取得することと、ここにおいて、前記それぞれのインデックス値は前記パレットのエントリーを識別し、
前記それぞれのインデックス値の１つまたは複数を前記パレットの前記エントリーの少なくとも１つと照合することによって、前記サンプルの値を決定することと、
を備える、請求項１に記載の方法。
【請求項１２】
ビデオデータを処理するための装置であって、
ビデオデータのブロックを含むビットストリームのシーケンスパラメータセット（ＳＰＳ）内の、ビデオデータの前記ブロックをコーディングするための色値のパレットの最大パレットサイズを示すデータ、または色値の前記パレットを決定するためのパレット予測子の最大パレット予測子サイズを示すデータのうちの少なくとも１つをコーディングするための手段と、
前記データに従ってビデオデータの前記ブロックをコーディングするための手段と、
を備える装置。
【請求項１３】
実行されると、１つまたは複数のプロセッサに、
ビデオデータのブロックを含むビットストリームのシーケンスパラメータセット（ＳＰＳ）内の、ビデオデータの前記ブロックをコーディングするための色値のパレットの最大パレットサイズを示すデータ、または色値の前記パレットを決定するためのパレット予測子の最大パレット予測子サイズを示すデータのうちの少なくとも１つをコーディングさせ、
前記データに従ってビデオデータの前記ブロックをコーディングさせる
命令を記憶した、非一時的コンピュータ可読媒体。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
マルチバンドトランシーバとして使用するための装置であって、前記マルチバンドトランシーバは２つまたはそれ以上のＲＦ信号を同時に送信するように構成可能であり、前記装置は、
楕円インダクタンスキャパシタンス（ＬＣ）フィルタ処理のための手段と、
楕円ＬＣフィルタ処理のための前記手段に直列に結合された抵抗容量性（ＲＣ）ノッチフィルタ処理のための手段と、
を備え、
楕円ＬＣフィルタ処理のための前記手段およびＲＣノッチフィルタ処理のための前記手段が、フィードバック受信経路によって受信された無線周波数（ＲＦ）信号をフィルタ処理するように構成され、
ここにおいて、前記フィードバック受信経路が、前記トランシーバの前記ＲＦ送信経路のうちの１つ経路のカプラに結合され、
ここにおいて、前記装置が、制御するための手段を備え、前記制御するための手段が、フィルタ処理するための前記手段から受信された前記信号の１つまたは複数の信号エネルギー測定を実行し、閉ループ電力制御動作の一部として前記送信経路の送信電力を調整するように構成される、
装置。
【請求項２】
楕円ＬＣフィルタ処理のための前記手段およびＲＦノッチフィルタ処理のための前記手段が、トランシーバチップ中に含まれる、請求項１に記載の装置。
【請求項３】
楕円ＬＣフィルタ処理のための前記手段をバイパスする、または楕円ＬＣフィルタ処理のための前記手段とＲＣノッチフィルタ処理のための前記手段とをバイパスするための手段をさらに備える、請求項１に記載の装置。
【請求項４】
楕円ＬＣフィルタ処理のための前記手段またはＲＣノッチフィルタ処理のための前記手段が、調整可能な構成要素を含む、請求項１に記載の装置。
【請求項５】
前記ＲＦ信号が楕円ＬＣフィルタ処理のための前記手段とＲＣノッチフィルタ処理のための前記手段とをバイパスすることを可能にするように構成されたバイパスするための多段手段をさらに備え、バイパスするための前記多段手段が、楕円ＬＣフィルタ処理のための前記手段の入力とＲＣノッチフィルタ処理のための前記手段の出力とに結合された多段バイパストランジスタを備える、請求項１に記載の装置。
【請求項６】
楕円ＬＣフィルタ処理のための前記手段が調整可能な構成要素を含み、ＲＣノッチフィルタのための前記手段が調整可能な構成要素を含む、請求項１に記載の装置。
【請求項７】
楕円ＬＣフィルタのための前記手段がローパス楕円フィルタ処理のための手段を備え、ＲＣノッチフィルタのための前記手段がツイン「Ｔ」ＲＣノッチフィルタ処理のための手段を備える、請求項１に記載の装置。
【請求項８】
楕円ＬＣフィルタ処理のための前記手段が、
第１のノードと第２のノードとに結合された第１のキャパシタと、
前記第１のノードと前記第２のノードとに結合されたインダクタと
を備える、請求項１に記載の装置。
【請求項９】
楕円ＬＣフィルタ処理のための前記手段が、
前記第１のノードと第３のノードとに結合された第２のキャパシタと、
前記第２のノードと前記第３のノードとに結合された第３のキャパシタと、
前記第２のノードと前記第３のノードとに結合された抵抗器と
をさらに備える、請求項８に記載の装置。
【請求項１０】
ＲＣノッチフィルタ処理のための前記手段が、
第１のノードと第２のノードとに結合された第１の抵抗器と、
前記第１のノードと第３のノードとに結合された第１のキャパシタと、
前記第２のノードと第４のノードとに結合された第２の抵抗器と、
前記第３のノードと前記第４のノードとに結合された第２のキャパシタと
を備える、請求項１に記載の装置。
【請求項１１】
ＲＣノッチフィルタ処理のための前記手段が、前記第２のノードと前記第３のノードとの間で直列に結合された第３の抵抗器と第３のキャパシタとをさらに備える、請求項１０に記載の装置。
【請求項１２】
楕円ＬＣフィルタ処理のための前記手段およびＲＣノッチフィルタ処理のための前記手段が、前記ＲＦ信号のキャリア周波数の第３高調波に対応する前記ＲＦ信号の成分を減衰させるように構成されたＲＦフィルタ処理のための手段中に含まれる、請求項１に記載の装置。
【請求項１３】
マルチバンドトランシーバにおいて使用するための方法であって、前記マルチバンドトランシーバは２つまたはそれ以上のＲＦ信号を同時に送信するように構成可能であり、前記方法は、
フィードバック受信経路において無線周波数（ＲＦ）信号を受信することと、
楕円インダクタンスキャパシタンス（ＬＣ）フィルタにおいて前記ＲＦ信号をフィルタ処理することと、
抵抗容量性（ＲＣ）ノッチフィルタを用いて前記楕円ＬＣフィルタの出力をフィルタ処理することと
を備え、
ここにおいて、前記フィードバック受信経路が、前記トランシーバの前記ＲＦ送信経路のうちの１つ経路のカプラに結合され、
ここにおいて、前記方法が、制御することを備え、前記制御することが、前記受信されフィルタ処理された信号の１つまたは複数の信号エネルギー測定を実行し、閉ループ電力制御動作の一部として前記送信経路の送信電力を調整することを備える、
方法。
【請求項１４】
前記楕円ＬＣフィルタまたは前記ＲＣノッチフィルタの少なくとも１つの構成要素の特性を調整することをさらに備える、請求項１３に記載の方法。
【請求項１５】
前記ＲＦ信号が前記楕円ＬＣフィルタをバイパスすること、または前記楕円ＬＣフィルタと前記ＲＣノッチフィルタとをバイパスすることを可能にするように構成されたバイパス回路において、制御信号を受信することをさらに備える、請求項１４に記載の方法。
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのブロックのすべてのサンプルに対して、前記ブロックの少なくとも１つのそれぞれのサンプルが、ビデオデータの前記ブロックをコーディングするための色のパレットに含まれていない色値を有するエスケープサンプルとしてコーディングされるかどうかを示す、ブロックレベルエスケープフラグの値を決定することと、
前記ブロックレベルエスケープフラグの前記値に基づいてビデオデータの前記ブロックをコーディングすることと、
を備える方法。
【請求項２】
ビデオデータの前記ブロックはビデオデータのコーディングユニット（ＣＵ）を備え、前記ブロックレベルエスケープフラグの前記値を決定することは、前記ＣＵのための前記ブロックレベルエスケープフラグの前記値を決定することを備える、請求項１に記載の方法。
【請求項３】
前記ＣＵのための前記パレットのパレットエントリーをコーディングすることと、
前記パレットの前記パレットエントリーをコーディングした後で、前記ＣＵのための前記ブロックレベルエスケープフラグをコーディングすることと、
をさらに備える、請求項２に記載の方法。
【請求項４】
前記ＣＵのための前記ブロックレベルエスケープフラグをコーディングすることと、
前記ＣＵのための前記ブロックレベルエスケープフラグをコーディングした後で、前記ＣＵのための前記パレットのパレットエントリーをコーディングすることと、
をさらに備える、請求項２に記載の方法。
【請求項５】
前記ＣＵのサイズに基づいて、前記ＣＵのための前記ブロックレベルエスケープフラグを条件的にコーディングすることをさらに備え、前記ＣＵのための前記ブロックレベルエスケープフラグを条件的にコーディングすることは、前記ＣＵの前記サイズが閾値のサイズを超えるとき、前記ブロックレベルエスケープフラグをコーディングすることのみを備える、請求項２に記載の方法。
【請求項６】
ビデオデータを処理するための装置であって、
ビデオデータのブロックのすべてのサンプルに対して、前記ブロックの少なくとも１つのそれぞれのサンプルが、ビデオデータの前記ブロックをコーディングするための色のパレットに含まれていない色値を有するエスケープサンプルとしてコーディングされるかどうかを示す、ブロックレベルエスケープフラグの値を決定するための手段と、
前記ブロックレベルエスケープフラグの前記値に基づいてビデオデータの前記ブロックをコーディングするための手段と、
を備える、装置。
【請求項７】
実行されると、１つまたは複数のプロセッサに、請求項１〜５のいずれか一項に記載の方法を実行させる命令を記憶した、非一時的コンピュータ可読媒体。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
複数の周波数シンセサイザと複数のキャリアアグリゲーション（ＣＡ）受信機（Ｒｘ）チェーンと複数のＣＡ送信機（Ｔｘ）チェーンとを使用してトランシーバ設計を再構成するための方法であって、
第１の周波数シンセサイザを第１のＣＡ  Ｔｘチェーンに接続することと、
残りの複数の周波数シンセサイザの各々を前記複数のＣＡ  Ｒｘチェーンのうちの１つに接続することと
を備え、前記残りの複数の周波数シンセサイザのうちの第２の周波数シンセサイザは、共有シンセサイザとして前記複数のＣＡ  Ｒｘチェーンのうちの第１のＣＡ  Ｒｘチェーンと第２のＣＡ  Ｔｘチェーンとに接続される、
方法。
【請求項２】
前記共有シンセサイザが時分割複信（ＴＤＤ）チェーンを駆動すべきであるとき、前記共有シンセサイザは、前記第２のＣＡ  Ｔｘチェーンまたは前記第１のＣＡ  Ｒｘチェーンのうちの１つのために使用されるように構成され、
前記第１の周波数シンセサイザは、周波数分割複信（ＦＤＤ）モードにおいて前記第１のＣＡ  Ｔｘチェーンのために使用されるように構成され、
残りの周波数シンセサイザは、前記ＦＤＤモードにおいて残りのＲｘチェーンのために使用されるように構成される、
請求項１に記載の方法。
【請求項３】
前記トランシーバは、前記ＦＤＤモードにおける３つのＣＡ  Ｒｘチェーンと、ＴＤＤモードにおける１つのＣＡ  Ｒｘチェーンと、前記ＦＤＤモードにおける１つのＣＡ  Ｔｘチェーンと、前記ＴＤＤモードにおける１つのＣＡ  Ｔｘチェーンとを少なくとも含む、
請求項２に記載の方法。
【請求項４】
前記共有シンセサイザがＴＤＤチェーンを駆動すべきであるとき、前記共有シンセサイザは、前記第２のＣＡ  Ｔｘチェーンまたは前記第１のＣＡ  Ｒｘチェーンのうちの１つのために使用されるように構成され、
前記第１の周波数シンセサイザは、ＴＤＤモードにおいて前記第１のＣＡ  Ｔｘチェーンのために使用されるように構成され、
残りの周波数シンセサイザは、前記ＴＤＤモードにおいて残りのＲｘチェーンのために使用されるように構成される、
請求項１に記載の方法。
【請求項５】
前記トランシーバは、前記ＴＤＤモードにおける４つのＣＡ  Ｒｘチェーンと、前記ＴＤＤモードにおける２つのＣＡ  Ｔｘチェーンとを少なくとも含む、
請求項４に記載の方法。
【請求項６】
前記共有シンセサイザがＴＤＤチェーンを駆動すべきであるとき、前記共有シンセサイザは、前記第２のＣＡ  Ｔｘチェーンまたは前記第１のＣＡ  Ｒｘチェーンのうちの１つのために使用されるように構成され、
前記第１の周波数シンセサイザは、ＴＤＤモードにおいて前記第１のＣＡ  Ｔｘチェーンのために使用されるように構成され、
前記第２および第３の周波数シンセサイザは、前記ＴＤＤモードにおいて第２および第３のＲｘチェーンのために使用されるように構成され、
残りの周波数シンセサイザは、前記ＦＤＤモードにおいて残りのＲｘチェーンのために使用されるように構成される、
請求項１に記載の方法。
【請求項７】
前記トランシーバは、前記ＴＤＤモードにおける３つのＣＡ  Ｒｘチェーンと、前記ＦＤＤモードにおける１つのＣＡ  Ｒｘチェーンと、前記ＴＤＤモードにおける２つのＣＡ  Ｔｘチェーンとを少なくとも含む、
請求項６に記載の方法。
【請求項８】
前記共有シンセサイザは、ＦＤＤモードにおいて前記第１のＣＡ  Ｒｘチェーンのために使用されるように構成され、
前記第１の周波数シンセサイザは、前記ＦＤＤモードにおいて前記第１のＣＡ  Ｔｘチェーンのために使用されるように構成され、
残りの周波数シンセサイザは、前記ＦＤＤモードにおいて残りのＣＡ  Ｒｘチェーンのために使用されるように構成され、
前記第２のＣＡ  Ｔｘチェーンは、無効にされる、
請求項１に記載の方法。
【請求項９】
前記トランシーバは、前記ＦＤＤモードにおける４つのＣＡ  Ｒｘチェーンと、前記ＦＤＤモードにおける１つのＣＡ  Ｔｘチェーンとを少なくとも含む、
請求項８に記載の方法。
【請求項１０】
前記共有シンセサイザは、ＦＤＤモードにおいて前記第２のＣＡ  Ｔｘチェーンのために使用されるように構成され、
前記第１の周波数シンセサイザは、前記ＦＤＤモードにおいて前記第１のＣＡ  Ｔｘチェーンのために使用されるように構成され、
残りの周波数シンセサイザは、前記ＦＤＤモードにおいて残りのＲｘチェーンのために使用されるように構成され、
前記第２のＣＡ  Ｒｘチェーンは、無効にされる、
請求項１に記載の方法。
【請求項１１】
前記トランシーバは、前記ＦＤＤモードにおける３つのＣＡ  Ｒｘチェーンと、前記ＦＤＤモードにおける２つのＣＡ  Ｔｘチェーンとを少なくとも含む、
請求項１０に記載の方法。
【請求項１２】
ダウンリンクチャネルの数を増加させるために、拡張された受信ベースバンドフィルタ（ＢＢＦ）帯域幅をもつ同じシンセサイザ周波数を使用するためにイントラ帯域／連続受信ＣＡを有効にすることをさらに備える、
請求項１に記載の方法。
【請求項１３】
アップリンクチャネルの数を増加させるために、拡張された送信ベースバンドフィルタ（ＢＢＦ）帯域幅をもつ同じシンセサイザ周波数を使用するためにイントラ帯域／連続送信ＣＡを有効にすることをさらに備える、
請求項１に記載の方法。
【請求項１４】
ＬＮＡ出力をスプリットすることによって、イントラ帯域／不連続ＣＡを有効にすることをさらに備える、
請求項１に記載の方法。
【請求項１５】
再構成可能なトランシーバ回路であって、
第１のＣＡ  Ｔｘチェーンに接続するように構成された第１の周波数シンセサイザと、
複数の周波数シンセサイザ、残りの複数の周波数シンセサイザの各々は、複数のＣＡ  Ｒｘチェーンのうちの１つに接続するように構成される、と
を備え、前記残りの複数の周波数シンセサイザのうちの第２の周波数シンセサイザは、共有シンセサイザとして前記複数のＣＡ  Ｒｘチェーンのうちの第１のＣＡ  Ｒｘチェーンおよび第２のＣＡ  Ｔｘチェーンに接続される、
再構成可能なトランシーバ回路。
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
高次アンビソニック係数をレンダリングするように構成されるデバイスであって、
複数のスピーカーフィードを生成する、前記高次アンビソニック係数をレンダリングするために使用される行列の希薄さを示す希薄さ情報を、前記高次アンビソニック係数の符号化されたバージョンを含むビットストリームから取得することと、
前記行列の符号シンメトリを示す符号シンメトリ情報を前記ビットストリームから取得することと、
前記行列を表わすために使用される低減されたビット数を前記ビットストリームから取得することと、
前記希薄さ情報、前記符号シンメトリ情報、および前記低減されたビット数に基づいて、前記行列を再構成することと
を行うように構成される１つまたは複数のプロセッサと、
前記１つまたは複数のプロセッサに結合され、前記希薄さ情報を記憶するように構成されるメモリと
を備える、デバイス。
【請求項２】
前記１つまたは複数のプロセッサは、前記行列が前記高次アンビソニック係数から前記複数のスピーカーフィードをレンダリングするために使用されるスピーカーレイアウトを決定するようにさらに構成される、
請求項１に記載のデバイス。
【請求項３】
前記複数のスピーカーフィードに基づいて前記高次アンビソニック係数によって表わされる音場を再生するように構成されるスピーカーをさらに備える、
請求項１に記載のデバイス。
【請求項４】
前記１つまたは複数のプロセッサは、前記複数のスピーカーフィードを生成するときに使用されるオーディオレンダラを識別する信号値を示すオーディオレンダリング情報を取得することと、前記オーディオレンダリング情報に基づいて前記複数のスピーカーフィードをレンダリングすることとを行うようにさらに構成される、
請求項１に記載のデバイス。
【請求項５】
前記信号値は、前記複数のスピーカーフィードに前記高次アンビソニック係数をレンダリングするために使用される前記行列を含み、
前記１つまたは複数のプロセッサは、前記信号値中に含まれる前記行列に基づいて前記複数のスピーカーフィードをレンダリングするように構成される、
請求項４に記載のデバイス。
【請求項６】
高次アンビソニック係数をレンダリングする方法であって、
複数のスピーカーフィードを生成する、前記高次アンビソニック係数をレンダリングするために使用される行列の希薄さを示す希薄さ情報を、前記高次アンビソニック係数の符号化されたバージョンを含むビットストリームから取得することと、
前記行列の符号シンメトリを示す符号シンメトリ情報を前記ビットストリームから取得することと、
前記行列を表わすために使用される低減されたビット数を前記ビットストリームから取得することと、
前記希薄さ情報、前記符号シンメトリ情報、および前記低減されたビット数に基づいて、前記行列を再構成することと
を備える、方法。
【請求項７】
前記行列が前記高次アンビソニック係数からマルチチャネルオーディオデータをレンダリングするために使用されるスピーカーレイアウトを決定することをさらに備える、
請求項６に記載の方法。
【請求項８】
前記複数のスピーカーフィードに基づいて前記高次アンビソニック係数によって表わされる音場を再生することをさらに備える、
請求項６に記載の方法。
【請求項９】
前記複数のスピーカーフィードを生成するときに使用されるオーディオレンダラを識別する信号値を示すオーディオレンダリング情報を取得することと、
前記オーディオレンダリング情報に基づいて前記複数のスピーカーフィードをレンダリングすることと
をさらに備える、請求項６に記載の方法。
【請求項１０】
前記信号値は、前記複数のスピーカーフィードを生成するために、前記高次アンビソニック係数をレンダリングするために使用される前記行列を含み、
前記方法は、前記信号値中に含まれる前記行列に基づいて前記複数のスピーカーフィードをレンダリングすることをさらに備える、
請求項９に記載の方法。
【請求項１１】
ビットストリームを作成するように構成されるデバイスであって、
複数のスピーカーフィードを生成する、高次アンビソニック係数をレンダリングするために使用される行列を記憶するように構成されるメモリと、
前記メモリに結合され、
前記行列の符号シンメトリを示す符号シンメトリ情報を取得することと、
前記行列の希薄さを示す希薄さ情報を取得することと、
前記符号シンメトリ情報および前記希薄さ情報に基づいて、前記行列を表わすために使用される低減されたビット数を決定することと、
前記高次アンビソニック係数の符号化されたバージョン、前記符号シンメトリ情報、前記希薄さ情報、および前記低減されたビット数を含むように前記ビットストリームを生成することと
を行うように構成される１つまたは複数のプロセッサと
を備える、デバイス。
【請求項１２】
前記１つまたは複数のプロセッサは、前記行列が前記高次アンビソニック係数から前記複数のスピーカーフィードをレンダリングするために使用されるスピーカーレイアウトを決定するようにさらに構成される、
請求項１１に記載のデバイス。
【請求項１３】
前記高次アンビソニック係数によって表わされる音場をキャプチャするように構成されるマイクロフォンをさらに備える、
請求項１１に記載のデバイス。
【請求項１４】
ビットストリームを作成する方法であって、
複数のスピーカーフィードを生成する、高次アンビソニック係数をレンダリングするために使用される行列の希薄さを示す希薄さ情報を取得することと、
前記行列の符号シンメトリを示す符号シンメトリ情報を取得することと、
前記符号シンメトリ情報および前記希薄さ情報に基づいて、前記行列を表わすために使用される低減されたビット数を決定することと、
前記高次アンビソニック係数の符号化されたバージョン、前記符号シンメトリ情報、前記希薄さ情報、および前記低減されたビット数を含むように前記ビットストリームを生成することと
を備える、方法。
【請求項１５】
前記行列が前記高次アンビソニック係数からマルチチャネルオーディオデータをレンダリングするために使用されるスピーカーレイアウトを決定することをさらに備える、
請求項１４に記載の方法。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
筐体と、
前記筐体の第１の側面にある第１のアパーチャを介してアクセス可能な第１のイヤピースと、
前記筐体の第２の側面にある第２のアパーチャを介してアクセス可能な第２のイヤピースと、前記第２のアパーチャは、前記第２の側面に位置している、
センサと、
前記第１の側面にある第３のアパーチャを介してアクセス可能なグラフィカルユーザインターフェースと、
プロセッサと、前記プロセッサは、前記センサから受信されたデータに基づいて、前記第１のイヤピースを介して音を出力することから前記第２のイヤピースを介して音を出力することに切り替えるかどうかを決定することと、前記第１のイヤピースを介して音を出力することから前記第２のイヤピースを介して音を出力することに切り替えることを決定することに応答して、前記グラフィカルユーザインターフェースのロック解除能力をディセーブルにすることとを行うように構成される、
を備える、モバイルデバイス。
【請求項２】
前記第２の側面の第１のエッジから前記第２のアパーチャまでの第１の距離が、前記第２の側面の第２のエッジから前記第２のアパーチャまでの第２の距離に実質的に等しく、  前記第２の側面の第３のエッジから前記第２のアパーチャまでの第３の距離が、前記第２の側面の第４のエッジから前記第２のアパーチャまでの第４の距離に実質的に等しく、  前記第１のエッジは、前記第２のエッジの反対にあり、
前記第３のエッジは、前記第４のエッジの反対にある、
請求項１に記載のモバイルデバイス。
【請求項３】
前記センサは、加速度計、ジャイロスコープ、赤外線センサ、カメラ、またはこれらの組み合わせを備える、請求項１に記載のモバイルデバイス。
【請求項４】
メモリをさらに備え、前記メモリは、ユーザに対する前記第１のイヤピースおよび前記第２のイヤピースの向きを示す状態情報を記憶する、請求項１に記載のモバイルデバイス。
【請求項５】
前記プロセッサは、前記第１の側面および前記第２の側面の回転を示す、受信された前記データに基づいて、前記第１のイヤピースを介して音を出力することから前記第２のイヤピースを介して音を出力することに切り替えるように構成される、請求項１に記載のモバイルデバイス。
【請求項６】
前記第１のアパーチャは、タッチスクリーンディスプレイを収容するために前記第１の側面の前記周辺に位置している、請求項１に記載のモバイルデバイス。
【請求項７】
前記データに基づいて、前記グラフィカルユーザインターフェースは、タッチスクリーンディスプレイであり、前記第１のイヤピースを介して音を出力することから前記第２のイヤピースを介して音を出力することに切り替えることを決定することに応答して、前記プロセッサは、
前記タッチスクリーンディスプレイをロック解除するために第１の入力パターンの認識をディセーブルにすることによってロック解除能力をディセーブルにすることを行うように構成され、
前記プロセッサは、前記タッチスクリーンディスプレイをロック解除するために第２の入力パターンの認識をイネーブルにすることを行うようにさらに構成され、前記第２の入力パターンは、前記第１の入力パターンよりも高い複雑度に関連付けられる、
請求項１に記載のモバイルデバイス。
【請求項８】
前記複雑度は、前記第２の入力パターンにおいて検出される、タッチの数、方向変化の数、またはこれらの組み合わせによって決定される、請求項７に記載のモバイルデバイス。
【請求項９】
前記第２のアパーチャを囲む前記第２の側面の少なくとも一部分が、特定の個人の耳に合うように形成される、請求項１に記載のモバイルデバイス。
【請求項１０】
モバイルデバイスにおいて、前記モバイルデバイスの筐体の第１の側面を介してアクセス可能な第１のイヤピースを介して音を出力することと、
前記モバイルデバイスのセンサから受信されるデータに基づいて、
前記第１のイヤピースを介して音を出力することを中止することと、
前記モバイルデバイスの前記筐体の前記第１の側面上の第３のアパーチャを介してアクセス可能なグラフィカルユーザインターフェースのロック解除能力をディセーブルにすることと、
前記筐体の第２の側面を介してアクセス可能な第２のイヤピースを介して音を出力することと、ここにおいて、前記第２の側面は前記第１の側面の反対にある、
を備える、方法。
【請求項１１】
前記検出された入力はユーザ入力に対応し、
前記モバイルデバイスのマイクロフォンにおいて入力を受信することと、
前記入力に基づいて、前記モバイルデバイスが騒音環境にあることを決定することと、
前記モバイルデバイスのディスプレイにおいて表示されるメッセージを生成することと
をさらに備え、
前記メッセージは、前記ユーザ入力を入力するようにユーザを促す、
請求項１０に記載の方法。
【請求項１２】
前記検出された入力は、前記モバイルデバイスの検出された回転に対応し、前記回転は、前記モバイルデバイスのジャイロスコープからのデータ、前記モバイルデバイスの近接センサからのデータ、または前記モバイルデバイスの１つまたは複数のカメラからのデータに基づいて検出される、請求項１０に記載の方法。
【請求項１３】
前記検出された入力に基づいて前記モバイルデバイスの近接センサをディセーブルにすることをさらに備え、
前記近接センサは、別の物体への前記第１の側面の近接を検出するように構成される、請求項１０に記載の方法。
【請求項１４】
前記検出された入力に基づいて、前記モバイルデバイスに関連付けられた状態を更新することをさらに備え、前記状態は、前記モバイルデバイスのメモリに記憶され、前記状態は、前記モバイルデバイスの向きを示し、および前記筐体のどちらの側面が前記モバイルデバイスのユーザを向いているかを示す、請求項１０に記載の方法。
【請求項１５】
命令を記憶するコンピュータ可読記憶デバイスであって、前記命令は、モバイルデバイスのプロセッサによって実行されると、前記プロセッサに、請求項１０から１４のいずれかの方法を実行させる、コンピュータ可読記憶デバイス。
【手続補正書】
【提出日】平成30年3月9日(2018.3.9)
【手続補正１】
【補正対象書類名】明細書
【補正対象項目名】００１５
【補正方法】変更
【補正の内容】
【００１５】
撮像素子は、好ましくは画素アレイ部１１の周縁の周りに配置された、各種の駆動部を含む。これらの駆動部は、撮像素子の動作を制御し、個々の構成要素を区別する必要がないときには、まとめて“制御部”と呼ばれ得る。画素１１０の動作は、垂直駆動部１２によって制御され、垂直駆動部１２は、それぞれの画素行に接続された制御線１６に信号を印加するように構成される。垂直駆動部１２は、制御パルスを生成するために、当技術分野においてよく知られるアドレスデコーダ、シフトレジスタなどを含んでもよい。画素１１０から信号を読み出す動作は、カラム処理部１３を介して実行され、カラム処理部１３は、カラム読み出し線１７を介してそれぞれの画素列に接続される。水平駆動部１４は、カラム処理部１３の読み出し動作を制御し、当技術分野においてよく知られるシフトレジスタなどを含んでもよい。システム制御部１５は、例えば、各種のクロックパルス及び制御パルスを生成することによって、垂直駆動部１２、カラム処理部１３、及び水平駆動部１４を制御するために提供される。カラム処理部１３によって読み出される信号は、水平出力線１９を介して信号処理部１８に出力され、信号処理部１８は、信号を受信し、各種の信号処理機能を実行し、画像データを出力するように構成される。
【手続補正２】
【補正対象書類名】明細書
【補正対象項目名】００１８
【補正方法】変更
【補正の内容】
【００１８】
Ａ／Ｄコンバータ２３は、好ましくは、コンパレータ３１、カウンタ３２、スイッチ３３、及びメモリ（ラッチ）３４を含む。コンパレータ３１は、それぞれのカラム読み出し線１７に接続される１つの入力と、基準信号生成部２０によって生成される基準電圧Ｖｒｅｆに接続される他の入力とを有する。基準信号生成部２０は、システム制御部１５とは分離しているように示されているが、基準信号生成部２０は、システム制御部１５と一体であってもよい。コンパレータ３１の出力は、カウンタ３２に接続され、カウンタ３２の出力は、スイッチ３３を介してメモリ３４に接続される。読み出し動作の間、基準信号生成部２０は、初期時刻ｔ０に開始する電圧Ｖｒｅｆに、設定比率で時間にほぼ比例して大きさが変化する、ランプ電圧の形式をとらせる。カウンタ３２は、時刻ｔ０にカウントを開始し、電圧Ｖｒｅｆが、カラム読み出し線１７上で保持している電位と等しくなるとき（例えば、時刻ｔ１）、コンパレータ３１は、その出力を反転させてカウンタにカウントを停止させる。したがって、カウンタ３２のカウント値は、時刻ｔ０（Ｖｒｅｆの大きさが変化し始めたとき）と、時刻ｔ１（Ｖｒｅｆがカラム読み出し線１７の電位と等しくなるとき）との間の時間量に対応する。Ｖｒｅｆの変化の比率は、既知であるため、時刻ｔ０とｔ１との間の時間は、カラム読み出し線１７の電位の大きさに対応する。よって、カラム読み出し線１７のアナログ電位は、カウンタ３２によって出力されるデジタル値に変換される。デジタル値は、カウンタ３２によって、スイッチ３３を介してメモリ３４に出力され、メモリ３４では、水平駆動部１４が、メモリに水平出力線１９を介して値を出力させるまで、デジタル値が保持される。画素にわたるリセットレベルと時間との間のいかなる変動も相殺するように、リセットレベルが画素信号から差し引かれる、相関二重サンプリング（ＣＤＳ：ｃｏｒｒｅｌａｔｅｄ  ｄｏｕｂｌｅ  ｓａｍｐｌｉｎｇ）技術が採用されてもよい。
【手続補正３】
【補正対象書類名】図面
【補正対象項目名】図１０
【補正方法】変更
【補正の内容】
【図１０】
2017520105.tif 000001
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
異なった配向の光分布を有する第１の光源及び第２の光源と；
第１の主表面と第２の主表面とを備える非対称転向フィルムであって、前記第２の主表面が複数の微細構造を備え、前記微細構造がそれぞれ、第１の形状を有する第１の面のうちの１つと、異なった第２の形状を有する第２の面、又は異なった第３の形状を有する第３の面のうちのいずれか１つと、を備える、非対称転向フィルムと；
複数の画素を備える液晶パネルと；
前記第１の光源、前記第２の光源、及び前記液晶パネルを独立に駆動するように構成されたコントローラと；
を具備し、前記第１の光源から前記非対称転向フィルムに入射する光が、第２の面又は第３の面でなく第１の面によって優先的に反射されて第１の出力分布をもたらし、
前記第２の光源から前記非対称転向フィルムに入射する光が、第１の面でなく第２の面に反射されて第２の出力分布をもたらし又は第３の面によって優先的に反射されて第３の出力分布をもたらし、前記第２の出力分布および前記第３の出力分布は前記第１の出力分布と異なり、前記第２の出力分布と前記第３の出力分布とは互いに異なり、
前記コントローラが前記液晶パネルの
一次的状態と二次的状態とを迅速に切り替えるように構成され、
前記コントローラが同様に前記第１の光源及び前記第２の光源の駆動を迅速に切り替えることによって、前記第２の光源でなく前記第１の光源が照明するときに前記液晶パネルが一次的状態にあり、かつ前記第１の光源でなく前記第２の光源が照明するときに前記液晶パネルが二次的状態にあるように構成されている、ディスプレイ装置。
【請求項２】
前記コントローラは、前記二次的状態が静的状態であるように構成されている、、請求項１に記載のディスプレイ装置。
【請求項３】
前記静的状態がノイズパターンである、請求項２に記載のディスプレイ装置。
【請求項４】
前記静的状態が完全に透過性である、請求項２に記載のディスプレイ装置。
【請求項５】
前記静的状態が画像を含む、請求項２に記載のディスプレイ装置。
【請求項６】
前記画像が妥当な作業空間を含む、請求項５に記載のディスプレイ装置。
【請求項７】
前記画像が広告用材料を含む、請求項５に記載のディスプレイ装置。
【請求項８】
前記コントローラは、前記二次的状態が動的状態であるように構成されている、請求項
１に記載のディスプレイ装置。
【請求項９】
前記動的状態が前記一次的状態の変形を含む、請求項８に記載のディスプレイ装置。
【請求項１０】
前記動的状態が広告用材料を含む、請求項８に記載のディスプレイ装置。
【請求項１１】
前記第１の光源及び前記第２の光源の少なくとも１つからの光を輸送するように構成されたライトガイドを更に具備する、請求項１に記載のディスプレイ装置。
【請求項１２】
前記非対称転向フィルムの前記第１の主表面が平滑表面である、請求項１に記載のディ
スプレイ装置。
【請求項１３】
前記複数の微細構造が線形微細構造である、請求項１に記載のディスプレイ装置。
【請求項１４】
前記非対称転向フィルムが反射防止コーティング又は反射防止構造化表面の少なくとも１つを備える、請求項１に記載のディスプレイ装置。
【請求項１５】
前記コントローラ、前記第１の光源、前記第２の光源、及び前記液晶パネルが、約８ｍｓ毎に一次的状態から二次的状態へと切り替わるように構成される、請求項１に記載のディスプレイ装置。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
装置であって、
キャパシタと、
ダイと
を備え、前記ダイは、
電力線と前記キャパシタとの間に結合された抵抗器スイッチと、ここにおいて、前記抵抗器スイッチは、調節可能な抵抗を有し、前記電力線及び前記キャパシタは両方とも、前記ダイの外部にあり、
前記電力線から電力を受けるように構成された第１の回路と
前記電力線から電力を受けるように構成された第２の回路と、
抵抗コントローラと
を備え、前記抵抗コントローラは、前記第１の回路がアクティブであり、前記第２の回路が非アクティブである場合、前記抵抗器スイッチの前記抵抗を第１の抵抗値に設定し、前記第１の回路が非アクティブであり、前記第２の回路がアクティブである場合、前記抵抗器スイッチの前記抵抗を第２の抵抗値に設定するように構成される、装置。
【請求項２】
パッケージを更に備え、前記ダイは、前記パッケージ上に取り付けられており、前記キャパシタは、前記パッケージ内にある、請求項１に記載の装置。
【請求項３】
前記キャパシタは、前記パッケージに埋め込まれた多層セラミックキャパシタを備える、請求項２に記載の装置。
【請求項４】
パッケージを更に備え、前記ダイ及び前記キャパシタは、前記パッケージ上に取り付けられる、請求項１に記載の装置。
【請求項５】
前記ダイは、前記第１の回路と前記電力線との間に結合されたパワーゲーティングスイッチを更に備え、前記パワーゲーティングスイッチは、前記第１の回路をパワーゲーティングするように構成される、請求項１に記載の装置。
【請求項６】
前記抵抗コントローラは、前記第１の回路及び前記第２の回路の両方がアクティブである場合、前記抵抗器スイッチの前記抵抗を第３の抵抗値に設定するように構成される、請求項１に記載の装置。
【請求項７】
前記第１の回路は、第１のプロセッサを備え、前記第２の回路は、第２のプロセッサを備える、請求項１に記載の装置。
【請求項８】
非アクティブ状態からアクティブ状態への前記回路のパワーアップ中、前記抵抗コントローラは、前記抵抗器スイッチの前記抵抗を動的に調節するように構成される、請求項１に記載の装置。
【請求項９】
前記ダイは、前記ダイのパワーグリッド上の電圧を検出するように構成された電圧検出器を更に備え、前記回路のパワーアップ中、前記抵抗コントローラは、検出された前記電圧が第１の電圧閾値よりも下に降下すると、前記抵抗器スイッチの前記抵抗を第１の抵抗に設定し、検出された前記電圧が第２の電圧閾値よりも上に上昇すると、前記抵抗器スイッチの前記抵抗を第２の抵抗値に設定するように構成される、請求項８に記載の装置。
【請求項１０】
前記電力線がパワーダウンされた場合、前記抵抗器スイッチを開けるように構成されたコントローラを更に備える、請求項１に記載の装置。
【請求項１１】
ダイ上の抵抗器スイッチの抵抗を調整するための方法であって、前記抵抗器スイッチは、外部電力線と外部キャパシタとの間にあり、前記方法は、
前記抵抗器スイッチについての第１の抵抗値を決定することと、ここにおいて、前記第１の抵抗値を決定することは、
前記ダイ上の第２の回路が前記電力線から切断された状態で、前記ダイ上の第１の回路を前記電力線に接続することと、
前記抵抗器スイッチの前記抵抗を、複数の抵抗値の１つ１つに連続的に設定することと、
抵抗値ごとに、前記抵抗値についてのピークインピーダンスを決定することと、
決定された前記ピークインピーダンスに基づいて、前記抵抗値のうちの１つを前記第１の抵抗値として選択することと
を備える、
前記抵抗器スイッチについての第２の抵抗値を決定することと、ここにおいて、前記第２の抵抗値を決定することは、
前記ダイ上の第１の回路が前記電力線から切断された状態で、前記ダイ上の第２の回路を前記電力線に接続することと、
前記抵抗器スイッチの前記抵抗を、複数の抵抗値の１つ１つに連続的に設定することと、
抵抗値ごとに、前記抵抗値についてのピークインピーダンスを決定することと、
決定された前記ピークインピーダンスに基づいて、前記抵抗値のうちの１つを前記第２の抵抗値として選択することと
を備える、
を備える方法。
【請求項１２】
前記第１の抵抗値及び前記第２の抵抗値の各々ついて、前記抵抗値のうちの１つを選択することは、決定された前記ピークインピーダンスのうちの最小ものに対応する抵抗値を選択することを備える、請求項１１に記載の方法。
【請求項１３】
前記第１の抵抗値及び前記第２の抵抗値の各々ついて、前記抵抗値のうちの１つを選択することは、閾値以下であると決定されたピークインピーダンスに対応する抵抗値を選択することを備える、請求項１１に記載の方法。
【請求項１４】
前記閾値は、前記ダイ上の前記第１の回路及び前記第２の回路のそれぞれの回路が適切に機能するのに必要とされる最小電源電圧に基づく、請求項１３に記載の方法。
【請求項１５】
ダイ上の抵抗器スイッチの抵抗を調節するための方法であって、前記抵抗器スイッチは、外部電力線と外部キャパシタとの間にあり、前記方法は、
前記ダイ上の第１の回路がアクティブであり、前記ダイ上の第２の回路が非アクティブである場合、前記抵抗を第１の抵抗値に設定することと、
前記第１の回路が非アクティブであり、前記第２の回路がアクティブである場合、前記抵抗を第２の抵抗値に設定することと、ここにおいて、前記第１の抵抗値及び前記第２の抵抗値は、請求項１１の方法によって決定される、
を備える方法。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
装置であって：
ハウジングと；
前記ハウジング内に配置される１つ以上の電気コンポーネントであって、動作中に熱を発生するように構成される１つ以上の電気コンポーネントと；
前記ハウジング上に配置されるスペクトル選択放射線放出デバイスであって、当該装置の動作中に、
前記１つ以上の電気コンポーネントによって熱されると、遠赤外線スペクトルに対応する電磁エネルギーの１つ以上の波長で放射線を放出し、
近赤外線スペクトルに対応する電磁エネルギーの１つ以上の他の波長で放射線を反射し、
可視スペクトルに対応する電磁エネルギーの１つ以上の波長を反射する、
スペクトル選択放射線放出デバイスと；
を備える、装置。
【請求項２】
前記スペクトル選択放射線放出デバイスは、前記ハウジングに固定されるファブリックを含む、
請求項１に記載の装置。
【請求項３】
前記スペクトル選択放射線放出デバイスは、前記ハウジングに塗布されるペイントを含む、
請求項１に記載の装置。
【請求項４】
近似動作温度は、摂氏３０度と５０度との間である、
請求項１に記載の装置。
【請求項５】
前記ハウジングの表面温度は、前記１つ以上のコンピューティングコンポーネントの動作中の前記スペクトル選択放射線放出デバイスの表面温度よりも高い、
請求項１に記載の装置。
【請求項６】
前記スペクトル選択放射線放出デバイスは、前記１つ以上の波長で前記放出された放射線に対して透過性の物質の外層を含む、
請求項１に記載の装置。
【請求項７】
コンピューティングデバイスであって：
ユーザの１つ以上の手によって保持されることに適したハンドヘルドのフォームファクタに従って形成されるハウジングと；
前記ハウジング内に配置される１つ以上のコンピューティングデバイスコンポーネントであって、近似動作温度で熱を発生して１つ以上のコンピューティングデバイス動作を実行する１つ以上のコンピューティングデバイスコンポーネントと；
前記ハウジング上に配置され、前記近似動作温度のときに、電磁エネルギーの１つ以上の波長で放射線を放出し、これにより当該コンピューティングデバイスの動作中に前記１つ以上のコンピューティングデバイスコンポーネントを冷却する、スペクトル選択放射線放出デバイスであって、前記電磁エネルギーの１つ以上の波長は遠赤外線スペクトルに対応し、前記スペクトル選択放射線放出デバイスは、近赤外線スペクトルに対応する電磁エネルギーの１つ以上の他の波長を反射する、スペクトル選択放射線放出デバイスと；
を備える、コンピューティングデバイス。
【請求項８】
ハウジングがユーザの１つ以上の手によって保持されることに適するように、スペクトル選択放射線放出デバイスをコンピューティングデバイスのハウジングに固定するステップと；
前記ハウジング内に１つ以上のコンピューティングデバイスコンポーネントを配置するステップであって、前記１つ以上のコンピューティングデバイスコンポーネントが動作中に近似動作温度で熱を発生し、これにより前記スペクトル選択放射線放出デバイスに電磁エネルギーの１つ以上の波長で放射線を放出させることにより前記ハウジングを冷却し、電磁エネルギーの１つ以上の他の波長の放射線を反射し、前記電磁エネルギーの１つ以上の他の波長は近赤外線スペクトルに対応し、放出される前記電磁エネルギーの１つ以上の波長は遠赤外線スペクトルに対応する、ステップと；
を備える、方法。
【請求項９】
前記スペクトル選択放射線放出デバイスを前記コンピューティングデバイスのハウジングに固定するステップは、前記コンピューティングデバイスのハウジングにコーティングすることを含む、
請求項８に記載の方法。